(57)【要約】      （修正有）【課題】ワイヤー付きものよりも軟く、ワイヤーの無いものよりも支持力が高いブラジャーを提供する。【解決手段】ブラジャーは、固定支持面２により相互に接続される２個の乳房ブラケット主体１を含み、固定支持面がそれぞれ２つの乳房ブラケット主体の下方に沿って延出して下引き辺３を形成し、乳房ブラケット主体の上方にはそれぞれ支持敷き辺４が延設される。乳房ブラケット主体、固定支持面、下引き辺及び支持敷き辺はＴＰＵ材で一体に成型されている。【選択図】図１
0003199585.tif 000002
【実用新案登録請求の範囲】
【請求項１】
固定支持面（２）により相互に接続される２つの乳房ブラケット主体（１）を含み、前記固定支持面（２）がそれぞれ前記２つの乳房ブラケット主体（１）の下方に沿って延出することで下引き辺（３）を形成し、前記両乳房ブラケット主体（１）の上方にそれぞれ支持敷き辺（４）が延設されている
ことを特徴である乳房ブラケット。
【請求項２】
前記乳房ブラケット主体（１）、前記固定支持面（２）、前記下引き辺（３）及び前記支持敷き辺（４）は一体に成型されている
ことを特徴である請求項１に記載の乳房ブラケット。
【請求項３】
前記乳房ブラケット（１）はＴＰＵ材製である
ことを特徴である請求項１に記載の乳房ブラケット。
【請求項４】
前記ＴＰＵ材の乳房ブラケット（１）のショア硬度は７０-１６０度である
ことを特徴である請求項４に記載の乳房ブラケット。
【請求項５】
前記乳房ブラケット主体（１）における固定支持面（２）に近い一端を前端とし、他端を末端として、前記支持敷き辺（３）が、前記前端から全長の１／８〜１／７離れる箇所から設置され始め、前記末端から全長の１／８〜１／７離れる箇所で設置され終わる
ことを特徴である請求項１に記載の乳房ブラケット。
【請求項６】
前記下引き辺（３）の幅が、前記乳房ブラケット主体（１）の末端の方向に向かうことに従って次第に細くなり、この幅の変化が前記乳房ブラケット主体（１）の末端から全長の１／８〜１／７離れる箇所で終了する
ことを特徴である請求項５に記載の乳房ブラケット。
【請求項７】
前記乳房ブラケット主体（１）の幅は７-９ｍｍ、厚さは２-４ｍｍである
ことを特徴である請求項１に記載の乳房ブラケット。
【請求項８】
前記支持敷き辺（３）の幅は１.５-５ｍｍ、厚さは０.８-１.１ｍｍである
ことを特徴である請求項１に記載の乳房ブラケット。
【請求項９】
前記固定支持面（２）の厚さは０.５-０.９ｍｍ、前記下引き辺（３）の厚さは０.５-０.９ｍｍである
ことを特徴である請求項１に記載の乳房ブラケット。
【請求項１０】
請求項１〜９のうちの何かに記載された乳房ブラケットを有するブラジャー。
【考案の詳細な説明】
【考案の属する技術分野】
【０００１】
本考案は、ブラジャーの技術分野に関し、具体的には乳房ブラケット及び前記乳房ブラケットで作製されるブラジャーに関する。
【従来の技術】
【０００２】
ブラジャーは女性の下着であり、着用過程で美感を求めるだけでなく、更に着用の快適度も求められている。現在、市販されるブラジャーはワイヤー付き及びワイヤー無しブラジャーとがある。ワイヤー式ブラジャーは、操作（製造）プロセスが複雑で、廃品率が高い。ワイヤー式ブラジャーのワイヤーの拘束により、ワイヤーが人体の「肝経」付近にあたり、肩バンドによりワイヤーを移動させ、肝経にある穴位を圧迫する。つまり、西洋医学では、リンパが外と下に向かって腋窩に向かう血液を押さえるため、血行障害が発生し、乳腺硬化、乳管疾病等の問題を引き起こす可能性がある。
ワイヤー無し式ブラジャーが、支持力の不足により乳房寄せ集め効果を奏しなく、特にはＣカップ以上の女性は、長期的に乳房が支持されないため、乳房の下垂或は不適合を引き起こし、健康と美感に悪影響を及ぼす。現在、「肝経」の押出を減少させると共に乳房の寄せ集めの効果を奏するブラジャーは市販されていない。
【考案の概要】
【考案が解決しようとする課題】
【０００３】
本考案の目的は、従来の技術の不足に対して、ワイヤー付きものよりも軟く、ワイヤーの無いものよりも乳房支持力が高い効果を奏し、女性の長期着用過程で「肝経」の押出を減少させると共に、乳房を寄せ集める効果がある乳房ブラケットを提供することにある。
【課題を解決するための手段】
【０００４】
本考案の乳房ブラケットは、固定支持面により相互に接続される２個の乳房ブラケット主体を含み、前記固定支持面がそれぞれ２個の乳房ブラケット主体の下方に沿って延出することで、下引き辺を形成し、前記両乳房ブラケット主体の上方にそれぞれ支持敷き辺が延設される乳房ブラケットである。
前記乳房ブラケット主体、固定支持面、下引き辺及び支持敷き辺が一体に成型される。
前記乳房ブラケットがＴＰＵ材からなる。
前記ＴＰＵ材の乳房ブラケットのショア硬度が７０-１６０度である。
前記乳房ブラケット主体における固定支持面に近い一端が乳房ブラケット主体の前端であり、他端が乳房ブラケット主体の末端であり、前記支持敷き辺が乳房ブラケット主体前端より全長の１／８〜１／７離れる箇所から設置され始め、乳房ブラケット主体の末端から全長の１／８〜１／７離れる箇所で設置され終わる。
前記下引き辺の幅が乳房ブラケット主体の末端の方向に向かうに従って次第に細くなる。この幅の変化が乳房ブラケット主体の末端から全長の１／８〜１／７離れる箇所で終了する。
前記乳房ブラケット主体の幅が７-９ｍｍ、厚さが２-４ｍｍである。
前記支持敷き辺の幅が１.５-５ｍｍ、厚さが０.８-１.１ｍｍである。
前記固定支持面の厚さが０.５-０.９ｍｍ、前記下引き辺の厚さが０.５-０.９ｍｍである。
前記乳房ブラケットで制作されるブラジャーである。
【考案の作用】
【０００５】
本考案の効果は、本考案の乳房ブラケットによりワイヤーを代替し／無くし、ワイヤー付きものよりも軟く、ワイヤーの無いものよりも乳房支持力が高い効果を奏し、女性の長期着用過程で「肝経」の押出を減少させると共に乳房寄せ集める効果があり、その加工（製造）プロセスが、ワイヤー付きのそれに比べて、ワイヤーに関連する一切の工程を省略し、工程がより簡潔で、同時に接着剤の使用を減少し、更に環境を保全することにある。
【図面の簡単な説明】
【０００６】
【図１】本考案の乳房ブラケットの斜視図である。
【考案を実施するための形態】
【０００７】
図１において、本考案の一実施例による乳房ブラケットは、固定支持面２により接続される２つの乳房ブラケット主体１を含む。前記固定支持面２がそれぞれ２個の乳房ブラケット主体１の下方に沿って延出することで、下引き辺３を形成する。両乳房ブラケット主体１の上方にそれぞれ支持敷き辺４が延設される。支持敷き辺４が主に乳房を支持し、乳房下部に密接する作用／効果を果たす。本考案の乳房ブラケットはワイヤーを代替する／不要にする。本考案のブラジャーによれば、ワイヤー付きものよりも軟く、ワイヤーの無いものよりも乳房支持力が高い効果を奏し、女性の長期着用過程で「肝経」の押出を減少させると共に乳房を集める効果がある。その加工（製造）プロセスがワイヤー付きものそれと比べて、ワイヤーに関連する一切の工程を省略でき、工程がより簡単で、同時に接着剤の使用を減らし、環境保全に寄与する。
【０００８】
乳房ブラケット主体１、固定支持面２、下引き辺３及び支持敷き辺４が一体で成型可能であり、加工が便利になりコストが下がる。
前記乳房ブラケットはＴＰＵ材で作製され、ＴＰＵ材の乳房ブラケットが環境保全に寄与し、圧縮過程で前記乳房ブラケットを軟化させ、成型されて冷却した後、安定化し、ブラジャーの硬度の要求を満たすことができる。
前記ＴＰＵ材の乳房ブラケットのショア硬度が７０-１６０度であり、この硬度範囲内で、乳房圧迫が大きく乳房の寄せ集め効果が悪いという問題を回避できる。
前記乳房ブラケット主体１における固定支持面２に近い一端を乳房ブラケット主体１前端とし、他端を乳房ブラケット主体１の末端とする。すると前記支持敷き辺４が、乳房ブラケット主体１の前端から全長の１／８〜１／７離れる箇所に設置され始め、乳房ブラケット主体１の末端から全長の１／８〜１／７離れる箇所で設置し終わる。乳房ブラケット主体１の前端及び末端は、乳房の傍らまで延設し、支持敷き辺４が主に支持及び乳房下部に密接する作用を果たす。このため、使用の快適度から考えると、支持敷き辺４を一定の範囲内に制限するのがよい。
前記下引き辺３の幅が乳房ブラケット主体１の末端方向に向かって次第に細くなる。この幅の変化が乳房ブラケット主体１の末端から全長１／８〜１／７離れる箇所で終了するのが好ましい。これは主に使用の快適度の観点から好ましい。
【０００９】
前記乳房ブラケット主体１の幅は７-９ｍｍ、厚さは２-４ｍｍである。乳房ブラケット主体１が乳房ブラケットの全体の主体であり、主に支持作用を果たす。乳房ブラケット主体１の幅及び厚さをこの範囲に制限することにより、乳房支持の要求を満足し、且つ着用快適度を保証し、より好ましくは、前記乳房ブラケット主体１の幅は８ｍｍ、厚さは３ｍｍである。
前記支持敷き辺４の幅は１.５-５ｍｍ、厚さは０.８-１.１ｍｍである。乳房支持及び密接于乳房下部の作用を果たし、着用快適度を保証でき、より好ましくは、前記支持敷き辺４の幅は３ｍｍ、厚さは０.９ｍｍである。
前記固定支持面２の厚さは０.５-０.９ｍｍ、前記下引き辺３の厚さは０.５-０.９ｍｍであり、支持力を保証し、着用時の快適度を保証することができる。より好ましくは、前記固定支持面２の厚さは０.７ｍｍ、前記下引き辺３の厚さは０.７ｍｍである。
【００１０】
本考案の乳房ブラケットで制作されるブラジャーは、ワイヤー付きものよりも軟くなり、ワイヤー無いものよりも支持力が高い効果を奏する。女性の長期着用過程で「肝経」の押出を減少させると共に乳房を集める効果がある。その加工プロセスがワイヤー付きもの加工プロセスと比べて、ワイヤーに関連する一切の工程を省略できる。例えばワイヤー付きのブラジャーの製造は、ワイヤーリングの両面に接着剤を噴射し、さやリングリングが長く切り、一端を止めて固定し、ワイヤーを通過させ、他端を止めて固定し、ワイヤーリングの両端にある多分な止ロを切り整え、弾毛無し布の両面に接着剤を噴射し、弾毛無無し布をセンターゴアに用い、センターゴアの毛布を放置するという１０回の工程がある。しかし、本考案の乳房ブラケットで制作されるブラジャーの製造方法は、乳房ブラケットの片面に接着剤を噴射する工程だけでよく、工程より簡潔させ、同時に接着剤の使用を減少させ、環境を保全することができる。
【００１１】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のものを含んでもよい。「Ａ，Ｂ，Ｃの内の少なくとも１つ」は、Ａ，Ｂ，Ｃ単独のみならずＡ，Ｂの組合せＡ，Ｂ，Ｃの組合せでもよい。「Ａ，Ｂと／又はＣ」は、Ａ，Ｂ，Ｃ単独のみならず、Ａ，Ｂの２つ、或いはＡ，Ｂ，Ｃの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００１２】
１…乳房ブラケット主体、２…固定支持面、３…下引き辺、４…支持敷き辺。
【図１】
0003199585.tif 000003
【手続補正書】
【提出日】平成27年6月30日(2015.6.30)
【手続補正１】
【補正対象書類名】実用新案登録請求の範囲
【補正対象項目名】全文
【補正方法】変更
【補正の内容】
【実用新案登録請求の範囲】
【請求項１】
固定支持面（２）により相互に接続される２つの乳房ブラケット主体（１）を含み、前記固定支持面（２）がそれぞれ前記２つの乳房ブラケット主体（１）の下方に沿って延出することで下引き辺（３）を形成し、前記両乳房ブラケット主体（１）の上方にそれぞれ支持敷き辺（４）が延設されている
ことを特徴である乳房ブラケット。
【請求項２】
前記乳房ブラケット主体（１）、前記固定支持面（２）、前記下引き辺（３）及び前記支持敷き辺（４）は一体に成型されている
ことを特徴である請求項１に記載の乳房ブラケット。
【請求項３】
前記乳房ブラケット主体（１）はＴＰＵ材製である
ことを特徴である請求項１に記載の乳房ブラケット。
【請求項４】
前記ＴＰＵ材の乳房ブラケット主体（１）のショア硬度は７０-１６０度である
ことを特徴である請求項３に記載の乳房ブラケット。
【請求項５】
前記乳房ブラケット主体（１）における固定支持面（２）に近い一端を前端とし、他端を末端として、前記支持敷き辺（４）が、前記前端から全長の１／８〜１／７離れる箇所から設置され始め、前記末端から全長の１／８〜１／７離れる箇所で設置され終わる
ことを特徴である請求項１に記載の乳房ブラケット。
【請求項６】
前記下引き辺（３）の幅が、前記乳房ブラケット主体（１）の末端の方向に向かうことに従って次第に細くなり、この幅の変化が前記乳房ブラケット主体（１）の末端から全長の１／８〜１／７離れる箇所で終了する
ことを特徴である請求項５に記載の乳房ブラケット。
【請求項７】
前記乳房ブラケット主体（１）の幅は７-９ｍｍ、厚さは２-４ｍｍである
ことを特徴である請求項１に記載の乳房ブラケット。
【請求項８】
前記支持敷き辺（４）の幅は１.５-５ｍｍ、厚さは０.８-１.１ｍｍである
ことを特徴である請求項１に記載の乳房ブラケット。
【請求項９】
前記固定支持面（２）の厚さは０.５-０.９ｍｍ、前記下引き辺（３）の厚さは０.５-０.９ｍｍである
ことを特徴である請求項１に記載の乳房ブラケット。
【請求項１０】
請求項１〜９のうちの何かの項に記載された乳房ブラケットを有するブラジャー。